(57)【特許請求の範囲】
【請求項１】
記録計本体の一面に設けられた扉と、この扉の上端に設けられ一端側を押し下げることにより前記扉を開くノブとを具備するペーパーレス記録計において、
前記ノブの底面に設けられた軸支穴と、
前記ノブの底面に直交して設けられ前記軸支穴を中心に所定距離の位置に配置された２個の突起と、
前記扉と前記ノブとの間に設けられ前記突起の先端側が突当たるロック板と、
このロック板の一面に一端が設けられ他端が前記軸支穴に挿入される中心軸と、
前記突起に対応して前記ロック板に設けられロック板の所定の回動により前記突起が挿入される突起挿入溝と、
前記ロック板の側面の両側に設けられた回動レバーと、
前記扉に設けられ棒状体を使用して前記それぞれの回動レバーを押圧して前記ロック板を回動させる２個のピン穴と
を具備するノブのロック手段
を具備したことを特徴とするペーパーレス記録計。
【請求項２】
前記ノブと前記ロック板との間に設けられたコイルスプリング
を具備したことを特徴とする請求項１記載のペーパーレス記録計。
【請求項３】
前記扉に設けられ前記回動レバーの回りすぎを防止するストッパー
を具備したことを特徴とする請求項１乃至請求項２の何れかに記載のペーパーレス記録計。
【請求項４】
前記扉に設けられた突起と、
前記ロック板の底面に設けられ前記突起が嵌合する凹部と
を具備する保持手段
を具備したことを特徴とする請求項１乃至請求項３の何れかに記載のペーパーレス記録計。
【請求項５】
前記ロック板の凹部付近に設けられ前記保持手段にばね性を付与する切り溝
を具備したことを特徴とする請求項４記載のペーパーレス記録計。
【発明の詳細な説明】
【技術分野】
【０００１】
本発明は、ノブの操作が簡単にできない様にする機構を付加することで、記録メディアの盗難を防止できるペーパーレス記録計に関するものである。
【背景技術】
【０００２】
ペーパーレス記録計に関連する先行技術文献としては次のようなものがある。
【０００３】
【非特許文献１】横河電機株式会社発行、ユーザーズマニュアル、番号：ＩＭ０４Ｌ０１Ａ０１−０１「Ｍｏｄｅｌ  ＤＸ１０２/ＤＸ１０４/ＤＸ１０６/ＤＸ１１２  ＤＡＱＳＴＡＴＩＯＮ  ＤＸ１００  ユーザーズマニュアル」、２００３年１１月  ５版、Ｐ３−１
【０００４】
ペーパーレス記録計は、従来の紙印字式記録計と異なり、測定結果を電子情報として、メディア（ＦＤＤ、メモリカード、ＺＩＰなど）に書き込むか、もしくは通信によってデータをほかのＰＣなどに送ることで、記録を残すことができる。
図８は従来より一般に使用されている従来例の構成説明図、図９は図８の動作説明図である。
【０００５】
図において、１はペーパーレス記録計本体で、正面に表示用のディスプレイ（ＬＣＤ）１１と操作キー１２とが配置されている。
操作キー１２は操作キーのケース１２１に取り付けられている。
操作キーのケース１２１は、この場合は、ポリカーボネート材が使用されている。
【０００６】
図９に示す如く、操作キーのケース１２１の上部につけられたノブ１３を指で下げラッチをはずし、操作キー１２ごとヒンジ１４を中心に回転させて開くと、メディア１５を取り出すことができる。この場合は、フロッピー（登録商標）ディスク（ＦＤＤ）が使用されている。
【発明の開示】
【発明が解決しようとする課題】
【０００７】
しかしながら、このようなペーパーレス記録計においては、以下の間題点がある。
ノブ１３を操作し、操作キーのケース１２１を開ければ、誰もがメディア１５を取り出すことができるので、メディアおよびデータの盗難が問題となる。
【０００８】
本発明の目的は、上記の課題を解決するもので、ノブの操作が簡単にできない様にする機構を付加することで、記録メディアの盗難を防止できるペーパーレス記録計を提供することにある。
【課題を解決するための手段】
【００１０】
このような課題を達成するために、本発明では、請求項１のペーパーレス記録計においては、
記録計本体の一面に設けられた扉と、この扉の上端に設けられ一端側を押し下げることにより前記扉を開くノブとを具備するペーパーレス記録計において、
前記ノブの底面に設けられた軸支穴と、前記ノブの底面に直交して設けられ前記軸支穴を中心に所定距離の位置に配置された２個の突起と、前記扉と前記ノブとの間に設けられ前記突起の先端側が突当たるロック板と、このロック板の一面に一端が設けられ他端が前記軸支穴に挿入される中心軸と、前記突起に対応して前記ロック板に設けられロック板の所定の回動により前記突起が挿入される突起挿入溝と、前記ロック板の側面の両側に設けられた回動レバーと、前記扉に設けられ棒状体を使用して前記それぞれの回動レバーを押圧して前記ロック板を回動させる２個のピン穴とを具備するノブのロック手段を具備したことを特徴とする。
【００１１】
本発明の請求項２のペーパーレス記録計においては、請求項１記載のペーパーレス記録計において、
前記ノブと前記ロック板との間に設けられたコイルスプリングを具備したことを特徴とする。
【００１２】
本発明の請求項３のペーパーレス記録計においては、請求項１乃至請求項２の何れかに記載のペーパーレス記録計において、
前記扉に設けられ前記回動レバーの回りすぎを防止するストッパーを具備したことを特徴とする。
【００１３】
本発明の請求項４のペーパーレス記録計においては、請求項１乃至請求項３の何れかに記載のペーパーレス記録計において、
前記扉に設けられた突起と、前記ロック板の底面に設けられ前記突起が嵌合する凹部と
を具備する保持手段を具備したことを特徴とする。
【００１４】
本発明の請求項５のペーパーレス記録計においては、請求項４記載のペーパーレス記録計において、
前記ロック板の凹部付近に設けられ前記保持手段にばね性を付与する切り溝を具備したことを特徴とする。
【発明の効果】
【００１６】
本発明の請求項１によれば、次のような効果がある。
ロック板の回動した位置によっては、ノブが押し下げられない状態にし、扉が開かないようにしたので、メディアの盗難を防ぐことができるペーパーレス記録計が得られる。
【００１７】
扉とノブとの間にロック板が配置された構成であるので、安価なロック手段が構成でき、ロック手段付きの安価なペーパーレス記録計が得られる。
鍵の様な特殊部品ではなく、棒状体のような一般的な部材を使用することにより、扉が開けるようにしたので、鍵の紛失のような事態を防止できるペーパーレス記録計が得られる。
【００１８】
本発明の請求項２によれば、次のような効果がある。
ノブとロック板との間にコイルスプリングが設けられたので、ノブの押し下げがスムースにできるペーパーレス記録計が得られる。
また、コイルスプリングにより、ロック板を軸方向に押さえて係止することができるペーパーレス記録計が得られる。
【００１９】
本発明の請求項３によれば、次のような効果がある。
扉に設けられ、回動レバーの回りすぎを防止するストッパーが設けられたので、操作性が良好なペーパーレス記録計が得られる。
ストッパにより、回りすぎを防ぎ、ロック板を確実に２つの位置に止めることが出来る。これによりノブの確実なロックとリリース動作が実現できるペーパーレス記録計が得られる。
【００２０】
本発明の請求項４によれば、次のような効果がある。
扉に設けられた突起と、ロック板の底面に設けられ突起が嵌合する凹部とを具備する保持手段が設けられたので、ロック板の回動の所定位置での保持が容易なペーパーレス記録計が得られる。
【００２１】
ストッパーと同様に、ロック板の位置を決めることが出来るので、ノブのロックとリリースの位置を確実に定めることができるペーパーレス記録計が得られる。
ストッパーのみでは、ロック板を所定位置に配置しても、突き当て状態であるので、振動などで位置が変わることがある。また、保持手段のみでは、使用者の力加減では、回しすぎが生じてロック板の位置が確実に定まらない。
【００２２】
本発明の請求項５によれば、次のような効果がある。
ロック板の凹部付近に設けられ、保持手段にばね性を付与する切り溝が設けられたので、ロック板の回動の保持が更に容易なペーパーレス記録計が得られる。
クリック感による操作性と突起の耐摩耗性が向上されたペーパーレス記録計が得られる。
【発明を実施するための最良の形態】
【００２３】
以下本発明を図面を用いて詳細に説明する。
図１は本発明の一実施例の要部構成説明図、図２は図１の要部構成説明図、図３は図１の平面図、図４は図１の部品説明図で、（ａ）は正面図、（ｂ）は平面図、（ｃ）は裏面図、（ｄ）は図（ｃ）のＡ矢視図、（ｅ）は側面図、（ｆ）は図（ｃ）のＢ−Ｂ断面図、図５は図１の部品説明図で、（ａ）は正面図、（ｂ）は平面図、（ｃ）は裏面図、（ｄ）は図（ｂ）のＡ−Ａ断面図、図６（ａ），（ｂ）は図１の動作説明図、図７（ａ），（ｂ）は図１の動作説明図である。
図において、図８，図９と同一記号の構成は同一機能を表す。
以下、図８，図９との相違部分のみ説明する。
【００２４】
図において、ノブのロック手段２０は、軸支穴２１、突起２２、ロック板２３、中心軸２４、突起挿入溝２５、回動レバー２６、ピン穴２７、コイルスプリング３１、ストッパー３２、保持手段３３と切り溝３４とを有する。
【００２５】
図４に示す如く、軸支穴２１は、ノブ１４の底面に設けられている。
突起２２は、ノブ１４の底面に直交して設けられ、軸支穴２１を中心に、所定距離の位置に配置され、２個設けられている。
【００２６】
図５に示す如く、ロック板２３は、操作キー１２のケース１２１とノブ１４との間に設けられ、突起２２の先端側が突当たる。この場合は、ポリアセタール材が使用されている。
中心軸２４は、このロック板２３の一面に一端が設けられ他端が、軸支穴２１に挿入される、
【００２７】
突起挿入溝２５は、突起２２に対応して、ロック板２３に設けられロック板２３の所定の回動により、突起２２が挿入される。
回動レバー２６は、ロック板２３の側面の両側に設けられている。
図２に示す如く、ピン穴２７は、操作キーのケース１２１に設けられ、棒状体例えばピンが差し込まれて、回動レバー２６を押圧して、ロック板２３を回動させるための穴である。この場合は、２個設けられている。
【００２８】
図１に戻って、コイルスプリング３１は、中心軸２４と同心軸状に設けられている。
ストッパー３２は、図１，図３に示す如く、操作キーのケース１２１に設けられ、回動レバー２６の回りすぎを防止する。
保持手段３３は、図７に示す如く、突起３３１と凹部３３２とを有する。
【００２９】
突起３３１は、図１に示す如く、操作キーのケース１２１に設けられている。
凹部３３２は、図５（ｅ）に示す如く、ロック板２３の底面に設けられ、突起３３１が嵌合する。
切り溝３４は、ロック板２３の凹部３３２付近に設けられ、保持手段３３にばね性を付与する。
【００３０】
以上の構成において、ロック板２３は、ピン穴２７よりピンのような棒状体を差し込むと、回動レバー２６が押され、中心軸２４を中心に一定の角度だけ回動する。
すなわち、図２の左右それぞれのピン穴２７から差し込まれたピンによって、ロック板２３は中心軸２４を中心に２つの角度の姿勢を取ることができる。
【００３１】
図６（ａ）に示す如く、図２の右側のピン穴２７から差し込まれたピンによって押圧、回動されたロック板２３の回動角度位置では、ロック板２３にノブ１３の突起２２の先端が突き当たり、ノブ１３が下がらない。
また、図６（ｂ）に示す如く、図２の左側のピン穴２７から差し込まれたピンによって押圧、回動されたロック板２３の回動角度位置では、ロック板２３の突起挿入溝２５に、ノブ１３の突起２２が入り込むので、ノブ１３を下げることができる。
【００３２】
要するに、ノブ１３は、ロック板２３の回動位置により、下がることができる場合と、できない場合とが生ずる。
ノブ１３が下がらないと、ペーパーレス記録計本体のラッチにより、操作キーのケース１２１を開閉することができない。
【００３３】
コイルスプリング３１は、ノブ１３とロック板２３との間に設けられているので、ロック板２３によりノブ１３が弾力的に支えられる。
ストッパー３２は、回動レバー２６が突き当たり、回動レバー２６の回りすぎを防止する。
【００３４】
保持手段３３は、突起３３１と凹部３３２とを有し、ロック板２３の回動の所定位置での保持をする。
即ち、図７（ａ）に示す如く、ロック板２３が時計方向に回動した場合には、突起３３１は、図の左側の凹部３３２に嵌合わされる。
【００３５】
図７（ｂ）に示す如く、ロック板２３が反時計方向に回動した場合には、突起３３１は、図の右側の凹部３３２に嵌合わされる。
切り溝３４は、ロック板２３の凹部３３２付近に設けられ、凹部３３２付近のロック板２３のばね性を増大させて、保持手段３３にばね性を付与する。
【００３６】
この結果、
ロック板２３の回動した位置によっては、ノブ１３が押し下げられない状態にし、操作キーのケース１２１が開かないようにしたので、メディア１５の盗難を防ぐことができるペーパーレス記録計が得られる。
【００３７】
操作キーのケース１２１とノブ１３との間にロック板２３が配置された構成であるので、安価なロック手段が構成でき、ロック手段付きの安価なペーパーレス記録計が得られる。
鍵の様な特殊部品ではなく、棒状体のような一般的な部材を使用することにより、操作キーのケース１２１が開けるようにしたので、鍵の紛失のような事態を防止できるペーパーレス記録計が得られる。
【００３８】
ノブ１３とロック板２３との間にコイルスプリング３１が設けられたので、ノブ１３の押し下げがスムースにできるペーパーレス記録計が得られる。
また、コイルスプリング３１により、ロック板２３を軸方向に押さえて係止することができるペーパーレス記録計が得られる。
【００３９】
操作キーのケース１２１に設けられ、回動レバーの回りすぎを防止するストッパー３２が設けられたので、操作性が良好なペーパーレス記録計が得られる。
ストッパ３２により、回りすぎを防ぎ、ロック板２３を確実に２つの位置に止めることが出来る。これによりノブ１３の確実なロックとリリース動作が実現できるペーパーレス記録計が得られる。
【００４０】
操作キーのケース１２１に設けられた突起３３１と、ロック板２３の底面に設けられ突起３３１が嵌合する凹部３３２とを具備する保持手段が設けられたので、ロック板２３の回動の所定位置での保持が容易なペーパーレス記録計が得られる。
ロック板２３の位置を決めることが出来るので、ノブ１３のロックとリリースの位置を確実に定めることができるペーパーレス記録計が得られる。
【００４１】
ストッパー３２のみでは、ロック板２３を所定位置に配置しても、突き当て状態であるので、振動などで位置が変わることがある。また、保持手段３３のみでは、使用者の力加減では、回しすぎが生じてロック板２３の位置が確実に定まらない。
【００４２】
ロック板の凹部３３２付近に設けられ、保持手段３３にばね性を付与する切り溝３４が設けられたので、ロック板２３の回動の保持が更に容易なペーパーレス記録計が得られる。
クリック感による操作性と突起の耐摩耗性が向上されたペーパーレス記録計が得られる。
【００４３】
なお、電源スイッチを、メディア取り出し口の隣に配置し、操作キーのケース１２１が開かないと電源の操作ができないようにして、ペーパーレス記録計の電源を、第３者に簡単に操作させないようにすることもできる。
【００４４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４５】
【図１】本発明の一実施例の要部構成説明図である。
【図２】図１の要部構成説明図である。
【図３】図１の平面図である。
【図４】図１の部品説明図である。
【図５】図１の部品説明図である。
【図６】図１の動作説明図である。
【図７】図１の動作説明図である。
【図８】従来より一般に使用されている従来例の構成説明図である。
【図９】図８の動作説明図である。
【符号の説明】
【００４６】
１      ペーパーレス記録計本体
１１    ディスプレイ
１２    操作キー
１２１  操作キーのケース
１３    ノブ
１４    ヒンジ
１５    メディア
２１    軸支穴
２２    突起
２３    ロック板
２４    中心軸
２５    突起挿入溝
２６    回動レバー
２７    ピン穴
３１    コイルスプリング
３２    ストッパー
３３    保持手段
３３１  突起
３３２  凹部
３４    切り溝
【図１】
0004761033.tif 000002
【図２】
0004761033.tif 000003
【図３】
0004761033.tif 000004
【図４】
0004761033.tif 000005
【図５】
0004761033.tif 000006
【図６】
0004761033.tif 000007
【図７】
0004761033.tif 000008
【図８】
0004761033.tif 000009
【図９】
0004761033.tif 000010